【事件の表示】
　上記当事者間の登録第４１０２２３８号商標の登録無効審判事件について、次のとおり審決する。
【結論】
　登録第４１０２２３８号商標の登録を無効とする。
　審判費用は、被請求人の負担とする。
【理由】
第１　本件商標
　本件登録第４１０２２３８号商標（以下「本件商標」という。）は、別紙に表示したとおりの構成よりなり、平成８年３月１４日に登録出願、第２５類「ガーター，靴下止め，ズボンつり，バンド，ベルト，靴類（靴合わせくぎ・靴くぎ・靴の引き手・靴びょう・靴保護金具」を除く），靴合わせくぎ，靴くぎ，靴の引き手，靴びょう，靴保護金具，げた，草履類，運動用特殊衣服，運動用特殊靴（「乗馬靴」を除く），乗馬靴」として、平成１０年１月１６日に設定登録されたものである。
第２　請求人所有の引用商標
　（１）登録第２３４９８２０号商標（以下「引用１商標」という。）は、別紙に表示したとおりの構成よりなり、第２２類「はき物（運動用特殊ぐつを除く）、かさ、つえ、これらの部品および附属品」を指定商品として、平成１年１月２７日登録出願、同３年１１月２９日に設定登録されたものである。
　（２）登録第２４１５７４４号商標（以下「引用２商標」という。）は、別紙に表示したとおりの構成よりなり、第２４類「おもちゃ、人形、娯楽用具、運道具、楽器、演奏補助品、蓄音機（電気蓄音機を除く）、レコード、これらの部品及び附属品」を指定商品として、平成１年１月２７日登録出願、同４年５月２９日に設定登録されたものである。
　（３）登録第４００３９５９号商標（以下「引用３商標」という。）は、別紙に表示したとおりの構成よりなり、第１７類「被服（運動用特殊服を除く。）、布製身回品（他の類に属するものを除く。）、寝具類（寝台を除く。）」を指定商品として、平成１年１月２７日登録出願、同９年５月３０日に設定登録たものである。
第３　請求人の主張
　請求人は、結論同旨の審決を求め、その理由を要旨次のように述べ、証拠方法として甲第１号証ないし甲第１０号証の４を提出した。
　（１）商標法第４条第１項第１１号について
　本件商標「ｚｕｃｃａ」は、引用１商標、引用２商標と一致し、外観、称呼において同一である。本件商標の指定商品中、「靴（『靴合わせくぎ‥は除く』）、靴合わせくぎ、靴くぎ、靴の引き手、靴びょう、靴保護金具、げた、草履類、運動用特殊衣服、運動用特殊靴（『乗馬靴』は除く）、乗馬靴」は、引用１商標、引用２商標の指定商品の下位概念であり、抵触する。従って、本件商標は、商標法第４条第１項第１１号に違反して登録されたものである。
　（２）商標法第４条第１項第１５号について
　引用３商標は、デザイナー小野塚秋良の姓「ｏｎｏｚｕｃａ」に由来し、小野塚秋良の「ｚｕｃｃａ」ブランドとして被服（特に婦人服）を中心として広範囲に著名である。従って、本件商標の指定商品中、「ガーター、靴下止め、ズボンつり、バンド、ベルト」が小野塚秋良の「ｚｕｃｃａ」ブランドの被服と同一の店で展示、販売されれば、小野塚秋良の一連の「ｚｕｃｃａ」ブランド商品と混同するおそれが高く、本件商標は、商標法第４条第１項第１５号に違反して登録されたものである。
第４　被請求人の答弁
　被請求人は、「本件審判請求は成り立たない。審判費用は請求人の負担とする」との審決を求め、その理由を「本件商標は、請求人との合意に基づき出願され登録されたものであるから、本件商標を無効にすることについて、請求人は利害関係を有していない。」旨述べ、証拠方法として乙第１号証を提出した。
第５　当審の判断
　（１）利害関係について
　本件審判請求は、請求人の所有する引用１商標、引用２商標、引用３商標の商標を使用する権利に係るものであるから、請求人は、本件審判を請求することについて利害関係を有するものである。
　（２）商標法第４条第１項第１１号について
　本件商標と引用１商標及び引用２商標とは、ともに「ＺＵＣＣＡ」の文字を書してなるから、外観において類似し、「ズッカ」の称呼を同じくする類似の商標である。
　そして、本件商標の指定商品中「靴類（『靴合わせくぎ・靴くぎ・靴の引き手・靴びょう・靴保護金具』をのぞく），靴合わせくぎ，靴くぎ，靴の引き手，靴びょう，靴保護金具，げた，草履類」は、引用１商標の指定商品中「はき物」と同一又は類似するものであり、本件商標の指定商品中「運動用特殊衣服，運動用特殊靴（『乗馬靴』を除く），乗馬靴」は、引用２商標の指定商品中「運道具」に含まれるものである。
　してみれば、本件商標は、指定商品中「靴類（『靴合わせくぎ・靴くぎ・靴の引き手・靴びょう・靴保護金具』をのぞく），靴合わせくぎ，靴くぎ，靴の引き手，靴びょう，靴保護金具，げた，草履類，運動用特殊衣服，運動用特殊靴（『乗馬靴』を除く），乗馬靴」について、商標法第４条第１項第１１号に違反して登録されたものである。
　（３）商標法第４条第１項第１５号について
　甲第７号証の１ないし甲第１０号証の３によれば、デザイナー小野塚秋良は、昭和４９年に株式会社三宅デザイン事務所に入社、平成１年にパリコレクションでレディースの「ＺＵＣＣＡ」を発表、これが評価され、平成２年、年間を通じファッション界で最も優れた成果を上げた人に与えられる「毎日ファッション大賞」を受賞し、フランス版のファッション雑誌「ＭＯＤＥ」２月号ではジャーナリストの選ぶ「１９９０年春夏コレクションベスト３の評価対象として選ばれ、アメリカ版のファッション雑誌「ＶＯＧＵＥ」８月号には、「ＺＵＣＣＡ」で知られる小野塚秋良の評価が掲載されている。
　さらに、平成５年、雑誌「ｍａｒｉｅ　ｃｌａｉｒｅ」にもデザイナー小野塚秋良とそのネーミング「ズッカ」が紹介され、平成６年、ファッション文化研究誌「装苑アイ」では、消費者対象の調査結果として、憧れのブランドに「ズッカ」も見られ、繊研新聞では、女子学生５０００人を対象としたファッションスタイルのアンケートでは「ズッカ」が注目ブランドとして上がっている。
　また、本件商標の登録出願直後である平成８年４月には月刊雑誌「ＭＯＲＥ」４月号には、商品ショルダーバッグ、ジーンズ、スカート、シャツ、靴、ワンピース等について、デザイナー小野塚秋良に係る商品の広告として「ＺＵＣＣＡ」「ズッカ」の商標が見られる。
　上記の事実からすると、少なくとも本件商標の登録出願前には、「ＺＵＣＣＡ」の引用３商標は、株式会社三宅デザイン事務所出身のデザイナー小野塚秋良のデザイナーズブランドとして、被服等ファッション性を有する商品を取り扱う業界において広く認識されていたものというのが相当である。
　そして、本件商標は、「ＺＵＣＣＡ」の文字を書してなり、その指定商品中「ガーター，靴下止め，ズボンつり，バンド，ベルト」と引用３商標を使用している商品「被服」等とは、ともにファッション性を有し、日常、一般需要者にも極めて身近に購入され、使用される密接に関係する商品であり、その需要者層を共通にするものである。
　そうすると、本件商標をその指定商品中「ガーター，靴下止め，ズボンつり，バンド，ベルト」に使用した場合、デザイナー小野塚秋良又は同人と組織的経済的に何等かの関係を有する者の業務に係る商品であるかのように、その出所について混同を生じさせるおそれがあるものというのが相当である。
　してみれば、本件商標は、指定商品中「ガーター，靴下止め，ズボンつり，バンド，ベルト」について、商標法第４条第１項第１５号に違反して登録されたものである。
　したがって、本件商標の登録は、商標法第４６条第１項第１号の規定に基づき、その指定商品の全部についてその登録を無効とする。
　よって、結論のとおり審決する。